【手続補正書】
【提出日】平成19年4月2日(2007.4.2)
【手続補正１】
【補正対象書類名】明細書
【補正対象項目名】特許請求の範囲
【補正方法】変更
【補正の内容】
【特許請求の範囲】
【請求項１】  任意の広告宣伝を含む電子情報内容を利用者に配信し該利用者側で電子情報内容を情報処理するシステムであって、
前記電子情報内容を利用者に配信する情報配信装置と、
前記情報配信装置から配信されてきた電子内容情報を受信して蓄積し、前記利用者の情報操作に応じて前記電子内容情報を非同期に読み出すと共に該電子内容情報を任意に加工処理した後の広告宣伝映像及び音声を出力する複数の情報処理装置とを備えたことを特徴とする電子情報内容配信処理システム。
【請求項２】  前記電子情報内容には、
前記利用者において情報操作可能な広告宣伝に関する映像素材情報及び音声情報と、これらの情報の加工用のプログラム情報とが含まれることを特徴とする請求項１に記載の電子情報内容配信処理システム。
【請求項３】  前記広告宣伝に関する電子情報内容だけを配信する広告宣伝専門チャンネルが設けられることを特徴とする請求項１に記載の電子情報内容配信処理システム。
【請求項４】  前記電子情報内容は、
既存の放送基盤又は通信基盤を使用して配信するようになされることを特徴とする請求項１に記載の電子情報内容配信処理システム。
【請求項５】  前記放送基盤を利用する場合であって、
少なくとも、任意の番組に関する放送情報内容と前記広告宣伝に関する電子情報内容とを一群のデータ列に構築し、該データ列を前記放送基盤で採用されるテレビ放送信号の垂直ブランキング期間に多重して伝送されることを特徴とする請求項１に記載の電子情報内容配信処理システム。
【請求項６】  前記情報配信装置は、
予め割り当てられた前記広告宣伝専門チャンネルを通じて前記広告宣伝に関する電子情報内容を配信するようになされることを特徴とする請求項１に記載の電子情報内容配信処理システム。
【請求項７】  前記情報処理装置は、
前記電子内容情報に関する操作情報を入力するために操作される操作部と、
前記電子情報内容を受信する受信部と、
前記受信部により受信された電子情報内容を記憶する不揮発性の記憶装置と、
前記操作部による操作情報に応じて前記記憶装置から電子情報内容を読み出すと共に、前記電子情報内容を情報処理して広告宣伝映像の表示制御をする制御装置とを有することを特徴とする請求項１に記載の電子情報内容配信処理システム。
【請求項８】  任意の番組に関する放送情報内容と前記広告宣伝に関する電子情報内容とが既存の放送基盤により多重伝送されてくる場合であって、
前記情報処理装置は、
前記放送情報内容を表示する前に、前記電子情報内容に基づいて広告宣伝映像を表示することを特徴とする請求項１に記載の電子情報内容配信処理システム。
【請求項９】  前記情報処理装置は、
前記放送情報内容の表示を終了したときに、前記広告宣伝映像を表示することを特徴とする請求項８に記載の電子情報内容配信処理システム。
【請求項１０】  前記情報処理装置は、
前記広告宣伝映像を表示したときに、前記放送情報内容を表示するモードを設定するか、あるいは、前記広告宣伝映像を引き続き表示するモードを設定するかを選択させるような制御プログラムを実行することを特徴とする請求項８に記載の電子情報内容配信処理システム。
【請求項１１】  前記情報処理装置は、
前記電子情報内容を処理して３次元映像からなる広告宣伝映像を表示することを特徴とする請求項１に記載の電子情報内容配信処理システム。
【請求項１２】  任意の広告宣伝を含む電子情報内容を利用者に配信する装置であって、
前記広告宣伝に関する電子情報内容を一群のデータ列に構築して搬送用の信号に挿入するデータ挿入部と、
前記データ挿入部によりデータ列を構築挿入した搬送用の信号を利用者の情報処理装置に送信する送信部とを備えることを特徴とする情報配信装置。
【請求項１３】  前記データ列を既存の放送基盤又は通信基盤を使用して配信するようにしたことを特徴とする請求項１２に記載の情報配信装置。
【請求項１４】  前記データ列は、
前記放送基盤で採用されるテレビ放送信号の垂直ブランキング期間に多重して伝送するようなされることを特徴とする請求項１２に記載の情報配信装置。
【請求項１５】  前記データ挿入部は、
前記広告宣伝に関する電子情報内容と任意の番組に関する放送情報内容とを一群のデータ列に構築して挿入するようになされることを特徴とする請求項１４に記載の情報配信装置。
【請求項１６】  前記電子情報内容は、
予め割り当てられた広告宣伝専門チャンネルを通じて利用者に配信するようになされたことを特徴とする請求項１２に記載の情報配信装置。
【請求項１７】  情報操作可能な複数の広告宣伝に関する映像素材情報及び音声情報と、これらの情報の加工用のプログラム情報とを前記広告宣伝専門チャンネルを使用して配信するようになされることを特徴とする請求項１６に記載の情報配信装置。
【請求項１８】  任意の広告宣伝を含む電子情報内容を情報処理する装置であって、
前記電子内容情報を受信して蓄積し、利用者の情報操作に応じて前記電子内容情報を非同期に読み出すと共に、該電子内容情報を任意に情報処理した後の広告宣伝映像及び音声を出力するようにしたことを特徴とする情報処理装置。
【請求項１９】  前記電子内容情報に関する操作情報を入力するために操作される操作部と、
前記電子情報内容を受信する受信部と、
前記受信部により受信された電子情報内容を記憶する不揮発性の記憶装置と、
前記操作部による操作情報に応じて前記記憶装置から電子情報内容を読み出すと共に、前記電子情報内容を情報処理して広告宣伝映像の表示制御をする制御装置とを有することを特徴とする請求項１８に記載の情報処理装置。
【請求項２０】  前記記憶装置に、
広告宣伝専門チャンネルを通じて配信されてくる複数の前記電子情報内容をダウンロードするようにしたことを特徴とする請求項１９に記載の情報処理装置。
【請求項２１】  前記記憶装置にダウンロードされた複数の広告宣伝に関する電子情報内容から任意に選択した広告宣伝に関する電子情報内容を読み出し、
前記電子内容情報に基づいて広告宣伝映像及び音声を再生することを特徴とする請求項１９に記載の情報処理装置。
【請求項２２】  前記制御装置は、
前記電子情報内容を処理して３次元映像からなる広告宣伝映像の表示制御をすることを特徴とする請求項１９に記載の情報処理装置。
【請求項２３】  前記広告宣伝専門チャンネルからダウンロードした電子情報内容のいずれかに、他の広告宣伝映像に優先して数多く表示する優先度が予め設定されることを特徴とする請求項２０に記載の情報処理装置。
【請求項２４】  前記優先度が設定されていない広告宣伝映像を表示する前に、前記優先度が設定された広告宣伝映像を表示することを特徴とする請求項２３に記載の情報処理装置。
【請求項２５】  前記優先度が設定されていない広告宣伝映像の表示を終了した後に、前記優先度が設定された広告宣伝映像を表示することを特徴とする請求項２３に記載の情報処理装置。
【請求項２６】  前記優先度が設定された広告宣伝映像を表示したときに、複数の前記広告宣伝に関する電子情報内容の中から任意の電子情報内容を選択させるような制御プログラムを実行することを特徴とする請求項２３に記載の情報処理装置。
【請求項２７】  前記電子情報内容に、情報操作可能な広告宣伝に関する映像素材情報及び音声情報と、これらの情報の加工用のプログラム情報とが含まれる場合であって、
前記記憶装置にダウンロードされた電子情報内容を読み出し、
前記プログラム情報に基づいて映像素材情報及び音声情報を処理して広告宣伝映像及び音声を再生することを特徴とする請求項１９に記載の情報処理装置。
【請求項２８】  既存の放送基盤から前記電子情報内容を受信する場合であって、
前記放送基盤で採用されるテレビ放配信号の垂直ブランキング期間に伝送されてくる電子情報内容を前記記憶装置にダウンロードするようにしたことを特徴とする請求項１９に記載の情報処理装置。
【請求項２９】  前記放送基盤から放送情報内容を受信する場合であって、
前記放送情報内容を表示する前に、前記電子情報内容に基づいて広告宣伝映像を表示することを特徴とする請求項２８に記載の情報処理装置。
【請求項３０】  前記放送情報内容の表示を終了したときに、前記広告宣伝映像を表示することを特徴とする請求項２９に記載の情報処理装置。
【請求項３１】  前記広告宣伝映像を表示したときに、前記放送情報内容を表示するモードを設定するか、あるいは、前記広告宣伝映像を引き続き表示するモードを設定するかを選択させるような制御プログラムを実行することを特徴とする請求項２９に記載の情報処理装置。
【請求項３２】  前記電子内容情報を受信して蓄積するチューナー付きの複合処理機器と、
利用者の情報操作に応じて前記複合処理機器から電子内容情報を読み出すと共に、該電子内容情報を非同期に情報処理した後の広告宣伝映像及び音声情報を出力するモニタ装置とを有することを特徴とする請求項１８に記載の情報処理装置。
【請求項３３】  前記複合処理機器は、
前記電子内容情報を受信するチューナーと、
前記チューナーにより受信された前記電子情報内容を蓄積する不揮発性の記憶装置と、
前記記憶装置から読み出した電子情報内容に基づいて前記広告宣伝映像を再生する演算部と、
前記演算部を制御するために操作される外部コントローラとを備え、
少なくとも、前記外部コントローラによって操作された広告宣伝映像又は番組映像を表示制御することを特徴とする請求項３２に記載の情報処理装置。
【請求項３４】  前記電子内容情報を受信するチューナー装置と、
前記チューナー装置に装着可能な携帯端末装置とを備え、
前記携帯端末装置は、
少なくとも、前記電子情報内容を蓄積する不揮発性の記憶装置と、
前記記憶装置から読み出した電子情報内容に基づいて前記広告宣伝映像を再生する演算部と、
前記演算部を制御するために操作される操作キーと、少なくとも、
前記操作キーによって操作された広告宣伝映像又は番組映像を表示する表示部とを有することを特徴とする請求項１８に記載の情報処理装置。
【請求項３５】  前記チューナー装置に不揮発性の記憶装置が設けられ、
前記電子情報内容を蓄積するようになされたことを特徴とする請求項３４に記載の情報処理装置。
【請求項３６】  少なくとも、前記電子情報内容を受信するチューナーと、
前記チューナーにより受信された電子情報内容を蓄積する不揮発性の記憶装置と、
前記記憶装置から読み出した前記電子情報内容を処理するデータ処理部と、
前記データ処理部を制御するために操作される操作キーと、
前記操作キーによって操作された広告宣伝映像又は番組映像を表示する表示部とを有し、
携帯端末装置を構成することを特徴とする請求項１８に記載の情報処理装置。
【請求項３７】  前記携帯端末装置に通信モデムが設けられ、
既存の通信基盤を利用して配信される前記電子情報内容を受信するようになされることを特徴とする請求項３６に記載の情報処理装置。
【請求項３８】  任意の広告宣伝を含む電子情報内容を利用者に提供し該利用者側で電子情報内容を情報処理する方法であって、
前記電子情報内容を利用者に配信し、
配信されてきた前記電子内容情報を受信して蓄積し、
前記利用者の情報操作に応じて前記電子内容情報を非同期に読み出し、
前記電子内容情報に基づいて広告宣伝映像及び音声を再生することを特徴とする電子情報内容配信処理方法。
【手続補正２】
【補正対象書類名】明細書
【補正対象項目名】０００７
【補正方法】変更
【補正の内容】
【０００７】
i.  テレビやラジオなどを利用した放送電子メディアによれば、広告主側から受け手側へ一方的な情報伝達がなされ、リアルタイムに広告宣伝が表示され、その音声が出力されている。このため、消費者が広告宣伝に意識を集中していないうちに広告宣伝情報が流れ去ってしまう場合が多い。再度、その広告宣伝を見ようとした場合に、ビデオテープレコーダ（ＶＴＲ）や、ホームサーバーなどの記録媒体に広告宣伝情報を記録しておかなければならない。
【手続補正３】
【補正対象書類名】明細書
【補正対象項目名】０００９
【補正方法】変更
【補正の内容】
【０００９】
ii．  このような放送電子メディアによれば、受け手の主目的は広告宣伝内容とは直接関係のない放送番組内容（コンテンツ本体）であるため、受け手はコンテンツ本体とは関係のない広告宣伝が度々出現するのを煩わしく感じたり、テレビ番組からＣＭに切り替わると、チャンネルを他に切り換えてしまうというザッピング行為がなされ、広告主にとって思うように広告宣伝効果を上げられない状況に陥る場合が多い。受け手の要求に応えて広告宣伝を少なくすると、番組製作費も減って、コンテンツ本体自体の品質が低下するといったネガティブスパイラルに陥ってしまう。
【手続補正４】
【補正対象書類名】明細書
【補正対象項目名】００１０
【補正方法】変更
【補正の内容】
【００１０】
iii．  また、インターネットによる広告宣伝システムによれば、情報検索中は電話回線が接続されていることから、その間の通信料金が嵩んでしまったり、ある程度、情報検索に時間がかかってしまう。しかも、インターネットで得られる広告宣伝情報も、新聞や雑誌などの紙媒体の広告宣伝システムと同様に、読む及び見るの視聴レベルである。詳しい広告宣伝情報を得るにはやはりその商品の現物を見なければならない。
【手続補正５】
【補正対象書類名】明細書
【補正対象項目名】００４５
【補正方法】変更
【補正の内容】
【００４５】
ｉ．  広告宣伝専門チャンネルの場合
まず、送信側では図２に示すフローチャートのステップＡ１で予め任意のインタラクティブ広告に関する映像素材情報及び音声情報Ｄ２２と、これらの情報Ｄ２２を映像加工するためのプログラム情報Ｄ２１とが情報配信装置１９のデータ挿入部９２で一群のデータ列に構築される。インタラクティブ広告の内容は電気製品、自動車、化粧品、食料品、ゲームソフトなどの商品を始め、マンション、一戸建てなどの不動産と、ありとあらゆる電子情報内容Ｄ０が対象となる。電子情報内容Ｄ０はグラフィックデータやサウンドデータなどの映像素材情報及び音声情報Ｄ２２と、アプリケーションなどのプログラム情報Ｄ２１から成る。
【手続補正６】
【補正対象書類名】明細書
【補正対象項目名】００５２
【補正方法】変更
【補正の内容】
【００５２】
ii．  データ放送番組チャンネルの場合
まず、送信側では図３に示すフローチャートのステップＡ１’で予め任意のデータ放送番組に関する放送情報内容（映像及び音声情報）Ｄ１と、任意のインタラクティブ広告に関する映像素材情報及び音楽情報Ｄ２２と、これらの情報Ｄ２２を映像加工するためのプログラム情報Ｄ２１とが一群のデータ列に構築される。インタラクティブ広告は広告宣伝専門チャンネルの場合と同様にインタラクティブ広告制作環境により予め準備されたゲーム感覚で遊べる内容である。
【手続補正７】
【補正対象書類名】明細書
【補正対象項目名】００６８
【補正方法】変更
【補正の内容】
【００６８】
情報処理装置には上述したエンタテインメント装置１０１のような専用のコンソールの他に、チューナー機能がプラグイン可能な家庭用のゲーム機や、パソコンなどを使用してもよい。表示装置には、既存のテレビ１０２や、パソコン用のモニタの他にチューナー機能内蔵型の一体型携帯端末装置などを使用してもよい。更に外部コントローラ２０は家庭用のゲーム機に通常用いられる有線式の他に、赤外線や電波などによる無線式でもよいし、テレビ１０２やビデオで通常用いられるリモコン機能を兼用したものでもよい。
【手続補正８】
【補正対象書類名】明細書
【補正対象項目名】０１３６
【補正方法】変更
【補正の内容】
【０１３６】
この記憶装置には情報が書込消去可能な読出専用メモリ（ＥＥＰＲＯＭ）などが使用され、この例では携帯端末装置１４がチューナー装置２４にセットされていなくても、放送情報内容Ｄ１や広告宣伝情報Ｄ２などのデータ列はフラッシュメモリ３３に電気的に蓄積されるようになされる。携帯端末装置１４がチューナー装置２４にセットされているときは、マイクロコンピュータ９０の制御を受けて携帯端末装置１４のデータストレージ（記憶装置）７５にデータ列を転送するようになされる。
【手続補正９】
【補正対象書類名】明細書
【補正対象項目名】０１３７
【補正方法】変更
【補正の内容】
【０１３７】
フラッシュメモリ３３、４３やデータストレージ７５の記憶容量としては、データ放送のデータレートが約４０［ｋｂｐｓ］である場合に、このデータを少なくとも５０分程度記憶したい場合には１６［ＭＢ］のものを用いればよい。４０［ｋｂｐｓ］÷８「ｂｉｔ」×５０［ｍｉｎ］×６０［ｓｅｃ］＝１５［ＭＢ］となる。
【手続補正１０】
【補正対象書類名】明細書
【補正対象項目名】０１５９
【補正方法】変更
【補正の内容】
【０１５９】
その後、ステップＥ４で番組再生モードを設定するか、インタラクティブ広告操作モードを設定するかを利用者に選択させるようになされる。ここで番組再生モードが選択された場合には、ステップＥ５に移行して、先に選択しておいたアプリケーションＡに関する放送情報内容Ｄ１がデータストレージ７５又は外付けのフラッシュメモリ４３から読み出される。その後、ステップＥ６でそのアプリケーションＡに係る映像情報及び音声情報を再生するようになされる。
【手続補正１１】
【補正対象書類名】明細書
【補正対象項目名】０１６３
【補正方法】変更
【補正の内容】
【０１６３】
この乗用車の全体映像を縮小しない場合にはステップＦ１０に移行して例えば映像の色を変えるか否かが確認される。乗用車の映像を色を変える場合にはステップＦ１１に移行してその映像の色換え処理がなされる。この際に例えば赤色の乗用車が青色の乗用車に塗色が変更表示される。なお、各々のステップＦ５、Ｆ７、Ｆ９、Ｆ１１でそれぞれ処理が終わったら、ステップＦ３に戻って、再び全体操作モードを設定するか、部分操作モードを設定するかを利用者に選択させるようになされる。
【手続補正１２】
【補正対象書類名】明細書
【補正対象項目名】０１７０
【補正方法】変更
【補正の内容】
【０１７０】
なお、本実施例ではスポット広告宣伝は電源スイッチをオンした直後と、アプリケーションＡ，Ｂ，Ｃ・・・などを終了してメニュー画面に移行する前に表示する場合を説明したが、これに限られることはなく、アプリケーションＡ，Ｂ，Ｃ・・・の中にも、広告宣伝提供枠として挿入するようにしてもよい。その際には別途定義処理に基づいて各々のアプリケーションに対して個別にスポット広告宣伝を組み込まむようになされる。
【手続補正１３】
【補正対象書類名】明細書
【補正対象項目名】０１７３
【補正方法】変更
【補正の内容】
【０１７３】
このインタラクティブ広告システム３００では第２の実施例に比べてチューナー装置２４’内に不揮発性の記憶装置が設けられないので、放送局９からデジタル番組放送及びインタラクティブ広告を受信する場合には、必ず、携帯端末装置１４をチューナー装置２４’に装着した状態で受信するようになされる。